(57)【要約】【構成】清涼飲料等の内容物を摂取後のキャップを取脱したペットボトルのネック部の螺子部に螺合可能な螺子部を有するキャップ部５００と先端部に洗浄液吐出部５０１０を有する洗浄液用流路部５０１と空気取入口５０２及び空気弁５０３とを備えてなり、キャップ部５００に穴を開けて洗浄液用流路部５０１を挿着し、キャップ部５００の洗浄液用流路部５０１に隣接して空気取入口５０２及び空気弁５０３を設けてなるペットボトルのネック部に装着して携帯用手動おしり洗浄器として使用できる携帯用手動おしり洗浄器の装着体５。【効果】本発明の携帯用手動おしり洗浄器の装着体を携帯していれば、旅先や外国でも、飲み終わったペットボトルがあれば簡単におしり洗浄器とすることができ、世界中で使用されているペットボトルを利用でき、費用も掛からず、手軽に携帯用手動おしり洗浄器となすことができ、その装着体は手動であるので乾電池も不要で電池切れもない。【選択図】図２
2006280834.tif 000002
【特許請求の範囲】
【請求項１】
ペットボトルのネック部の螺子部に螺合可能な螺子部を有するキャップ部と、先端部に洗浄液吐出部を有する洗浄液用流路部と、空気取入口及び空気弁とを備えてなり、前記キャップ部に穴を開けて前記洗浄液用流路部を挿着し、前記キャップ部の当該洗浄液用流路部に隣接して前記空気取入口及び空気弁を設けてなることを特徴とするペットボトルのネック部に装着して携帯用手動おしり洗浄器として使用できる携帯用手動おしり洗浄器の装着体。
【請求項２】
ペットボトルが、清涼飲料等の内容物を摂取後のキャップを取脱したペットボトルであることを特徴とする、請求項１に記載の携帯用手動おしり洗浄器の装着体。
【請求項３】
内容物を取り除いた使用済みのペットボトルのネック部に、請求項１に記載の携帯用手動おしり洗浄器の装着体を取付けてなることを特徴とする携帯用手動おしり洗浄器。
【請求項４】
折畳み可能な容器のネック部の螺子部に螺合可能な螺子部を有するキャップ部と、先端部に洗浄液吐出部を有する洗浄液用流路部とを備えてなり、前記キャップ部に穴を開けて前記洗浄液用流路部を挿着してなることを特徴とする携帯用手動おしり洗浄器の装着体。
【請求項５】
キャップ部の当該洗浄液用流路部に隣接して空気取入口及び空気弁を設けてなることを特徴とする、請求項４に記載の携帯用手動おしり洗浄器の装着体。
【請求項６】
折畳み可能な容器のネック部に、請求項４又は５に記載の携帯用手動おしり洗浄器の装着体を取付けてなることを特徴とする携帯用手動おしり洗浄器。
【発明の詳細な説明】
【技術分野】
【０００１】
本発明は、ペットボトルのネック部に装着して携帯用手動おしり洗浄器として使用できる携帯用手動おしり洗浄器の装着体及び当該装着体を有してなる携帯用おしり洗浄器に関するものである。
【背景技術】
【０００２】
排便後などにおいて、おしりを清潔にしておくことは、特に痔病や婦人病などの疾患を有する人に限らず必要である。
日常生活上の局部周辺の衛生を保つために、固定式電動洗浄便座を始め数々の衛生用品が利用されている。
当該衛生用品は、通常、固定式であるので、家庭内では利用できても、旅先や出張先等の外出先では、一般に、利用できないので、特に、痔病、婦人病など泌尿器科に関する疾患の人の場合には、常に患部を洗浄して清潔にして予防と治癒を早める必要があるのにそれが出来ないので困ることになる。
旅先や出張先等の外出先でも手軽におしりが洗浄できるように、乾電池を電源とした携帯用電動式おしり洗浄器が提供されているが、乾電池が必要で、電池切れを引き起こしたりする等の問題がある。
又、手動で洗浄液を噴射して洗浄できるものも提案されているが、その製作に費用がかかり過ぎたり、その持ち運びに不便であったり、手軽に使用できるものではなかったりする等の問題があり、未だ広く普及するには至っていないのが現状である。
【発明の開示】
【発明が解決しようとする課題】
【０００３】
本発明は、上記従来技術の有する欠点を解消した新規の技術を提供することを目的としたものである。
本発明の他の目的や新規な特徴については本件明細書及び図面の記載からも明らかになるであろう。
【課題を解決するための手段】
【０００４】
本発明の特許請求の範囲は、次の通りである。
（請求項１）ペットボトルのネック部の螺子部に螺合可能な螺子部を有するキャップ部と、先端部に洗浄液吐出部を有する洗浄液用流路部と、空気取入口及び空気弁とを備えてなり、前記キャップ部に穴を開けて前記洗浄液用流路部を挿着し、前記キャップ部の当該洗浄液用流路部に隣接して前記空気取入口及び空気弁を設けてなることを特徴とするペットボトルのネック部に装着して携帯用手動おしり洗浄器として使用できる携帯用手動おしり洗浄器の装着体。
（請求項２）ペットボトルが、清涼飲料等の内容物を摂取後のキャップを取脱したペットボトルであることを特徴とする、請求項１に記載の携帯用手動おしり洗浄器の装着体。
（請求項３）内容物を取り除いた使用済みのペットボトルのネック部に、請求項１に記載の携帯用手動おしり洗浄器の装着体を取付けてなることを特徴とする携帯用手動おしり洗浄器。
（請求項４）折畳み可能な容器のネック部の螺子部に螺合可能な螺子部を有するキャップ部と、先端部に洗浄液吐出部を有する洗浄液用流路部とを備えてなり、前記キャップ部に穴を開けて前記洗浄液用流路部を挿着してなることを特徴とする携帯用手動おしり洗浄器の装着体。
（請求項５）キャップ部の当該洗浄液用流路部に隣接して空気取入口及び空気弁を設けてなることを特徴とする、請求項４に記載の携帯用手動おしり洗浄器の装着体。
（請求項６）折畳み可能な容器のネック部に、請求項４又は５に記載の携帯用手動おしり洗浄器の装着体を取付けてなることを特徴とする携帯用手動おしり洗浄器。
【発明の効果】
【０００５】
本発明によれば、その装着体のキャップ部は、ペットボトルのネック部の螺子部に螺合可能な螺子部を有するので、ペットボトルのネック部特に使用済みのペットボトルのキャップを取脱した後のネック部に装着することができ、当該キャップ部には、穴を開けて前記洗浄液用流路部を挿着しており、使用済みのペットボトルに水などの洗浄液を入れて、当該使用済みのペットボトルを手で押圧すれば当該洗浄液用流路部に洗浄液が流出し、当該洗浄液用流路部の先端部には、洗浄液吐出部を有するので当該洗浄液吐出部から洗浄液を吐出させることができる。又、当該キャップ部には、当該洗浄液用流路部に隣接して空気取入口及び空気弁を設けてあるので、ペットボトルを使用して手で押圧して再度又は続けて洗浄液を吐出させる際に、当該空気取入口及び空気弁を介してペットボトル内部に新たな空気を導入することができ、円滑な洗浄液の吐出を果たすことができる。
請求項３は、内容物を取り除いた使用済みのペットボトルのネック部に、請求項１に記載の携帯用手動おしり洗浄器の装着体を取付けて携帯用手動おしり洗浄器としたもので、使用済みのペットボトルのリタ−ナブル（リサイクル）に貢献できる。
請求項４は、上記のペットボトルに代えて折畳み可能な容器としたもので、前記と同様の装着体を使用できるようにしたものである。
請求項５は、請求項４の装着体について空気取入口及び空気弁を設けて、より一層の円滑な洗浄液の吐出を果たすことができるようにしたものである。
請求項６は、請求項４の折畳み可能な容器に関した携帯用手動おしり洗浄器を提供するものである。
本発明の上記装着体や携帯用手動おしり洗浄器は、世界中で使用されているペットボトルを利用でき、費用も掛からず、手軽に携帯用手動おしり洗浄器となすことができ、その装着体を携帯していれば、旅先や外国でも、飲み終わったペットボトルがあれば簡単におしり洗浄器とすることができ、手動であるので、乾電池も不要で、電池切れもない。
【発明を実施するための最良の形態】
【０００６】
図５に、ペットボトル１の外観を示す。当該ペットボトル１内部には、お茶などの飲み物が入っている。
「容器包装に係る分別収集及び再商品化の促進等に関する法律」の 第２条第２項及び「容器包装に係る分別収集及び再商品化の促進等に関する法律施行規則」の第１条によれば、ペットボトルとは、商品の容器のうち、主としてＰＥＴ（ポリエチレンテレフタレート）製のものであって次に掲げるもののうち、食料品（しょうゆ、乳飲料等）、清涼飲料、酒類を充填するためのものと定義付けられ、特定の識別マークをつけることが義務づけられている。なお、現在の所、食料品（しょうゆ、乳飲料等）、清涼飲料、酒類以外の用途に使われるＰＥＴボトルは、「ＰＥＴボトル」ではなく「プラスチック製容器」に区分し、プラマークをつけることになっている。
１．びん（ＰＥＴボトル）   
２．上記の１に掲げるものに準ずる構造、形状を有する容器 
当該ペットボトル１は、一般に、ボトル本体部２とネック部３とキャップ４とを有してなり、当該ネック部３には螺子部を有し、当該ネック部３の螺子部に、当該螺子部に螺合可能な螺子部を有するキャップ４が装着されている。
当該ボトル本体部２には、内容物の飲料の種類などを表示したラベルが貼付けられ、又、キャップ部４の下部には、賞味期限が表示されている。
図４に示すように、当該ペットボトル１のキャップ４を取脱すと、ネック部３の螺子部３０が表れる。当該キャップ４には、その図示が省略されているが、当該ネック部３の螺子部３０に螺合可能な螺子部が設けられている。当該ネック部３の螺子部３０及びキャップ４の螺子部は螺旋状に設けられている。
当該ペットボトル１は、ボトル本体部２に収納された水などの飲料を飲み終わると、キャップ４やラベルなどと一緒に通常リサイクルに回される。
本発明では、当該リサイクルに回される使用済みの当該ペットボトルを利用して、携帯用手動おしり洗浄器として使用することを提案するもので、使用済みのペットボトル１のキャップ４を取脱した後のネック部３に装着できるような携帯用手動おしり洗浄器の装着体を提供するものである。
【０００７】
図２及び図３に基づいて当該装着体を説明する。
図３に示すように、当該携帯用手動おしり洗浄器の装着体５は、ペットボトル１のネック部３の螺子部３０に螺合可能な螺子部５０００を有するキャップ部５００と、先端部に洗浄液吐出部５０１０を有する洗浄液用流路部５０１と、空気取入口５０２及び空気弁５０３とを備えて構成される。
当該洗浄液用流路部５０１は、適宜長さの中空の例えば４角形の直方体により構成される。
当該洗浄液用流路部５０１の内部には、洗浄液が先端部の洗浄液吐出部５０１０に向かって流れるように、流路が形成されている。
当該先端部の洗浄液吐出部５０１０は、例えば、当該洗浄液用流路部に吐出穴を開けて形成される。当該洗浄液吐出部は、例えば、図２（Ａ）に示す例では、３個の穴を開けて構成されているが、１個の穴でも２個の穴でも、又、３個を超えた数の穴であってもよい。穴の大きさ、位置などは適宜選択される。
当該携帯用手動おしり洗浄器の装着体５は、当該キャップ部５００に、ボトル本体部２の内部の洗浄液が当該洗浄液用流路部５０１に流出するように穴（図示せず）を開け、当該穴の内部に当該洗浄液用流路部５０１を挿着する。
当該携帯用手動おしり洗浄器の装着体５の当該キャップ部５００には、図２（Ｂ）及び（Ｃ）に示すように、当該洗浄液用流路部５０１に隣接して前記空気取入口５０２及び空気弁５０３を設ける。空気取入口５０２は、当該キャップ部５００に空気取入穴を開けて形成することができる。空気取入口５０２の下部に空気弁５０３を設置する。当該空気弁５０３は、当該キャップ部５００における洗浄液の液漏れ防止部５０４の内部に設けることができる。当該液漏れ防止部は、ペットボトル１のキャップ４にも、ボトル本体部２の内部の飲料液の液漏れ防止として設置してある。
【０００８】
使用済みのペットボトル１のボトル本体部２に水などの洗浄液を入れ、上記の携帯用手動おしり洗浄器の装着体５を使用済みのペットボトル１のネック部３に装着すると、携帯用手動おしり洗浄器として使用できる。
上記のように、当該装着体５のキャップ部５００は、ペットボトル１のキャップ４と同様の大きさ等の態様に構成され、ペットボトル１のネック部３の螺子部３０に螺合可能な螺子部５０００を有し、又、キャップ部５００そのものに洗浄液用流路部５０１と空気取入口５０２と空気弁５０３が設けられているので、当該装着体５を使用済みのペットボトル１のネック部３に装着すうれば、手軽に携帯用手動おしり洗浄器として使用できる。
図１に示すように、当該携帯用手動おしり洗浄器の装着体５を使用済みのペットボトル１のネック部３に装着して携帯用手動おしり洗浄器Ｋとして使用すると、ボトル本体部２の内部の洗浄液が洗浄液用流路部５０１の洗浄液吐出部５０１０から吐出（噴射）して、おしりを洗浄することができる。
ペットボトルは、ＰＥＴ（ポリエチレンテレフタレ−ト）樹脂から構成され、可撓性で、当該ボトル本体部２を手で押すと内部の洗浄液を、洗浄液用流路部５０１を介して洗浄液吐出部５０１０から吐出（噴射）させることができ、一旦、押圧後の洗浄液の流出後には、前記の洗浄液吐出部５０１０から空気が導入され、続けてボトル本体部を押圧して洗浄液を洗浄液用流路部５０１側に流出させることができるが、一旦、ペットボトルのボトル本体部２を押圧すると、当該ボトル本体部２が潰れ、当該空気が不足し、流出量が少なくなることがあるので、前記のように、当該携帯用手動おしり洗浄器の装着体５では、キャップ部５００の洗浄液用流路部５０１に隣接して、前記のように、空気取入口５０２及び空気弁５０３を設けてある。
図３に示すように、当該空気弁５０３は、ペットボトル１のボトル本体部を押圧すると、外部から空気取入口５０２を経由して空気をキャップ部５から当該ボトル本体部の内部に導入することができる。
当該空気弁５０３は、例えば、市販のゴムシートバルブを使用することができる。
【０００９】
ＰＥＴボトルは、扱い易く軽量である等の利点がある、反面、表面が柔らかく、擦り傷等が発生し易いので、一般的には、そのままの再利用が可能なリターナブル（ｒｅｕｔｕｒｎａｂｌｅ）用途に適した飲料ボトルとはなり難いが、本発明によれば、携帯用手動おしり洗浄器として便利に使用できる。
当該ＰＥＴボトルは、世界中で使用され、使用済みＰＥＴボトルのリサイクルは、現時点で、世界１９２カ国のうち、ヨーロッパを中心に４４カ国で実施されており、本発明の携帯用手動おしり洗浄器の装着体は、外国旅行の際にも使用でき、衛生設備や用品の整備されていない国でも便利に使用できる。
当該ＰＥＴボトルは、一般的なＰＥＴボトル、炭酸用ＰＥＴボトル、耐熱用ＰＥＴボトル、ホット対応ＰＥＴボトル等の種類があり、又、構造的に水漏れの機構が異なるなどの差異があるが、そのキャップの大きさなどは各社同じで、携帯用手動おしり洗浄器の装着体５のキャップ部５００をペットボトル１のキャップ４と同様のものとすれば、そのキャップ部５００の螺子部５０００はほとんどの場合ペットボトル１のネック部３の螺子部３０に装着することができるので、本発明の携帯用手動おしり洗浄器の装着体５を旅行などで携帯すれば、携帯用手動おしり洗浄器Ｋとして使用することができる。
【００１０】
本発明では、上記のような携帯用手動おしり洗浄器の装着体５を個別に旅行などで携帯すれば、上記のように、携帯用手動おしり洗浄器として使用することができるが、一方、図１に示すように、当該装着体５を使用済みのＰＥＴボトル１に装着して一体化してもよく、一体化された携帯用手動おしり洗浄器Ｋから当該装着体５を、ＰＥＴボトルのネック部３から取り外して、ボトル本体部２内部に洗浄液を入れて、再び、当該装着体５をＰＥＴボトルのネック部３に装着すれば、携帯用手動おしり洗浄器Ｋとして使用でき、上記のように、リターナブル容器として利用し難いペットボトルを再利用することができる。
【００１１】
次に、図６に示す他の携帯用手動おしり洗浄器Ｌについて説明する。
当該携帯用手動おしり洗浄器Ｌは、前記の携帯用手動おしり洗浄器Ｋにあっては、その洗浄液を貯留させる容器が、使用済みのＰＥＴボトル１であったのに対して、折り畳み可能な容器６を使用したものである。
当該携帯用手動おしり洗浄器Ｌには、図６に示すように、前記図１に示す実施例の装着体５と同様に構成された携帯用手動おしり洗浄器の装着体５が使用される。
当該携帯用手動おしり洗浄器の装着体は、図６に示すように、キャップ部５００と、先端部に洗浄液吐出部５０１０を有する洗浄液用流路部５０１とを備えて構成される。
図６に示す当該携帯用手動おしり洗浄器の装着体５における当該キャップ部５００は、その図示が省略されているが、折り畳み可能な容器６のネック部の螺子部に螺合可能な螺子部を有するように構成されている。
図１に示す実施例と同様に当該洗浄液用流路部５０１は、適宜長さの中空の例えば４角形の直方体により構成され、当該洗浄液用流路部５０１内部には、洗浄液が先端部の適宜個数の吐出穴を開けて形成された洗浄液吐出部５０１０に向かって流れるように流路が形成されている。
当該携帯用手動おしり洗浄器の装着体５は、当該キャップ部５００に、折り畳み可能な容器６の内部の洗浄液が当該洗浄液用流路部５０１に流出するように穴を開け、当該穴の内部に当該洗浄液用流路部５０１を挿着する。
図７に示すように、当該実施例で使用される容器６は、折り畳み可能であるので、順次、端部より折り畳めば、その内部の洗浄液を洗浄液用流路部５０１の先端部の洗浄液吐出部５０１０から吐出（噴射）させることができるので、前記実施例のような空気取入口５０２及び空気弁５０３は必要がないが、当該空気取入口５０２及び空気弁５０３を設けることにより、より一層洗浄液の流出の勢いなどを強めることが出来る等の利点があるので、前記図１に示す実施例の装着体と同様に当該携帯用手動おしり洗浄器の装着体５の当該キャップ部５００にはその当該洗浄液用流路部５０１に隣接して当該空気取入口５０２及び空気弁５０３を設けるとよい。
当該空気取入口５０２は、当該キャップ部５００に空気取入穴を開けて形成することができる。当該空気取入口５０２の下部に空気弁５０３を設置すればよい。当該空気弁５０３は、例えば、ゴムシートバルブを使用することができる。
当該携帯用手動おしり洗浄器の装着体５の当該キャップ部５００においてその当該洗浄液用流路部５０１に隣接して前記空気取入口５０２及び空気弁５０３を設けることにより、前記図１に示す実施例の装着体５と同様のものとなり、両者を共通させることができるので、ペットボトルに使用する装着体５を当該折り畳み容器６の装着体５としても使用できる。
この場合、当該キャップ部５００における螺子部を折り畳み容器６の螺子部に適合させるように調整してもよい。
【００１２】
図８は、更に他の実施例を示したもので、図８に示す実施例の携帯用手動おしり洗浄器Ｍは、前記と同様の装着体５を共通して使用するようにしたもので、しかし、当該携帯用手動おしり洗浄器Ｍに使用される容器７は、チューブ様のものとしたもので、当該容器７は、チューブ様のものなので、折り畳み可能であると共に、押圧可能な容器となすことができ、より一層の円滑な洗浄液の吐出を果たすことができるようにしたものである。当該容器には、ラミネートチューブで構成された各種容器が使用できる。
【００１３】
本発明では、適宜変更が可能である。
本発明は、使用済みのものだけでなく、新製のペットボトル容器にも適用することができる。
本発明では、洗浄液として、水の他、温水や抗菌性洗浄液などが使用できる。
【産業上の利用可能性】
【００１４】
本発明の携帯用手動おしり洗浄器の装着体や当該装着体を装着した携帯用手動おしり洗浄器は、おしりを洗浄するのに使用できる他、女性の携帯用ビデとしても使用できる。
又、トイレの便器やポータブルトイレの便器の汚物バケットや赤ん坊のオマル等を洗浄することもできる。
【図面の簡単な説明】
【００１５】
【図１】本発明の実施例を示す構成図である。
【図２】（Ａ）本発明の実施例を示す携帯用手動おしり洗浄器の装着体の構成図である。（Ｂ）同携帯用手動おしり洗浄器の装着体の平面図である。（Ｃ）同携帯用手動おしり洗浄器の装着体の底面図である。
【図３】本発明の実施例を示す携帯用手動おしり洗浄器の装着体の断面図である。
【図４】本発明に使用されるペットボトルのキャップ取脱後の説明図である。
【図５】本発明に使用されるペットボトルの全体外観説明図である。
【図６】本発明の他の実施例を示す携帯用手動おしり洗浄器の構成図である。
【図７】本発明の他の実施例を示す携帯用手動おしり洗浄器の使用説明図である。
【図８】本発明の更に他の実施例を示す携帯用手動おしり洗浄器の構成図である。
【符号の説明】
【００１６】
１    ペットボトル
２    ボトル本体部
３    ネック部
４    キャップ
５    携帯用手動おしり洗浄器の装着体
６    折り畳み容器
７    チューブ容器
３０  ペットボトル１のネック部３の螺子部
５００    キャップ部
５０１    洗浄液用流路部
５０２    空気取入口
５０３    空気弁
５０００  螺子部
５０１０  洗浄液吐出部
Ｋ    携帯用手動おしり洗浄器
Ｌ    携帯用手動おしり洗浄器
Ｍ    携帯用手動おしり洗浄器
【図１】
2006280834.tif 000003
【図２】
2006280834.tif 000004
【図３】
2006280834.tif 000005
【図４】
2006280834.tif 000006
【図５】
2006280834.tif 000007
【図６】
2006280834.tif 000008
【図７】
2006280834.tif 000009
【図８】
2006280834.tif 000010